(57)【特許請求の範囲】
【請求項１】
電界放出ディスプレイの支持柱の設置構造において、
支持ユニットとする長条形構造と、前記支持ユニットから外側に向けて延伸する位置決めユニットとを有する支持柱と、
前記支持柱を吸着すると共に、前記位置決めユニットを位置決めする位置決め溝が設置された位置決め部材と、を具えたことを特徴とする、電界放出ディスプレイの支持柱の設置構造。
【請求項２】
請求項１記載の電界放出ディスプレイの支持柱の設置構造において、電界放出ディスプレイが複数の電界放出表示ユニットで組成されたディスプレイとされたことを特徴とする、電界放出ディスプレイの支持柱の設置構造。
【請求項３】
請求項１記載の電界放出ディスプレイの支持柱の設置構造において、支持柱がガラス、セラミック或いは金属で形成されたことを特徴とする、電界放出ディスプレイの支持柱の設置構造。
【請求項４】
請求項１記載の電界放出ディスプレイの支持柱の設置構造において、支持柱がＴ形、十字形、或いは少なくとも一つの連接部を具えた構造とされることを特徴とする、電界放出ディスプレイの支持柱の設置構造。
【請求項５】
請求項１記載の電界放出ディスプレイの支持柱の設置構造において、前記位置決め部材にあって前記位置決め溝と同一側面に複数の吸着口が設けられたことを特徴とする、電界放出ディスプレイの支持柱の設置構造。
【請求項６】
請求項５記載の電界放出ディスプレイの支持柱の設置構造において、前記位置決め部材の複数の吸着口が前記支持柱の前記支持ユニットの側面を真空吸着することを特徴とする、電界放出ディスプレイの支持柱の設置構造。
【請求項７】
請求項１記載の電界放出ディスプレイの支持柱の設置構造において、前記位置決め部材による前記支持柱の電界放出表示ユニット中への設置のリアルタイムモニタリングと位置決めのためのモニタレンズを具えたことを特徴とする、電界放出ディスプレイの支持柱の設置構造。
【請求項８】
電界放出ディスプレイの支持柱の設置方法において、
位置決め部材に設置された吸着口を真空処理し並びに前記位置決め部材を移動させる位置決め部材起動ステップと、
前記位置決め部材起動ステップ時にモニタレンズを起動して作業の進行の過程をモニタリングするモニタレンズ起動ステップと、
前記位置決め部材を支持柱まで移動させ、並びに前記位置決め部材の位置決め溝により初期アライメントを行ない、更に前記位置決め部材に設置された複数の吸着口により前記支持柱を吸着する支持柱吸着ステップと、
前記位置決め部材により吸着した前記支持柱を電界放出表示ユニット中に移動させてモニタレンズのモニタリングを組み合わせて前記支持柱を電界放出表示ユニット内に設置する電界放出表示ユニットへの支持柱設置ステップと、
を具えたことを特徴とする、電界放出ディスプレイの支持柱の設置方法。
【請求項９】
請求項８記載の電界放出ディスプレイの支持柱の設置方法において、前記支持柱吸着ステップで採用する前記支持柱をガラス、セラミック或いは金属材料で組成したことを特徴とする、電界放出ディスプレイの支持柱の設置方法。
【請求項１０】
請求項８記載の電界放出ディスプレイの支持柱の設置方法において、複数の電界放出表示ユニットにより電界放出ディスプレイが組成されたことを特徴とする、電界放出ディスプレイの支持柱の設置方法。
【請求項１１】
請求項８記載の電界放出ディスプレイの支持柱の設置方法において、前記支持柱吸着ステップで採用される前記支持柱がＴ形、十字形、或いは少なくとも一つの連接部を具えた構造とされることを特徴とする、電界放出ディスプレイの支持柱の設置方法。
【請求項１２】
請求項８記載の電界放出ディスプレイの支持柱の設置方法において、前記電界放出表示ユニットへの支持柱設置ステップにおいて使用される前記位置決め部材が、前記支持柱の前記位置決めユニットの嵌入に供される前記位置決め溝を具えたことを特徴とする、電界放出ディスプレイの支持柱の設置方法。
【請求項１３】
請求項８記載の電界放出ディスプレイの支持柱の設置方法において、前記位置決め溝と同一側に前記複数の吸着口が設けられ、この複数の吸着口が真空吸着の方式で支持柱の支持ユニットの側面を吸着することを特徴とする、電界放出ディスプレイの支持柱の設置方法。
【請求項１４】
請求項８記載の電界放出ディスプレイの支持柱の設置方法において、前記電界放出表示ユニットへの支持柱設置ステップにおいてモニタレンズが前記位置決め部材による支持柱の電界放出表示ユニット中への設置をリアルタイムでモニタリングし位置決めするのに供されることを特徴とする、電界放出ディスプレイの支持柱の設置方法。
【発明の詳細な説明】
【０００１】
【発明の属する技術分野】
本発明は一種の電界放出ディスプレイ（ＦＥＤ）の支持柱の設置構造と方法に係り、特に、支持柱に合わせて設計された位置決め部材とリアルタイム監視可能なレンズにより十字形或いは長条形の支持柱が電界放出ディスプレイユニット中に設置され、ディスプレイの必要とする支持力を提供するようにしたものに関する。
【０００２】
【従来の技術】
ディジタルテクノロジー時代の到来及びインターネットの普及により、フラットディスプレイの応用は携帯式の中型／小型消費性製品から情報広告用の大型パネル、或いは超大型のディスプレイに及び、それまでのＣＲＴディスプレイでは対応できなくなっており、大面積で自発光のプラズマディスプレイが近年商品化され量産され、低コストの大面積のフラットディスプレイの技術の成長は著しく、現在は電界放出ディスプレイの量産技術の開発が進められている。これにより、液晶ディスプレイと電界放出ディスプレイ関係材料領域において技術の突破により多くの発展があり、材料部分は複合化、軽量化、薄型化、大型化、フレキシブル化、及び低コストに向けて発展し、液晶ディスプレイと電界放出ディスプレイ産業の創作性と競争力を高めている。
【０００３】
現在電界放出ディスプレイは支持柱の設置に異なる方式があるが、従来の技術の支持柱放置部分には克服及び防止しなければならない欠点がある。図１は周知の技術の電界放出表示ユニットの構造表示図であり、電界放出ディスプレイ中に複数の電界放出表示ユニット１が設けられ、各電界放出表示ユニット１中に下載置基板１０と上基板３０があり、下載置基板１０と上基板３０の間が支持柱２０の設置により区画並びに固定され、並びに図１に示されるように、各電界放出表示ユニット１中に三つのカソードエミッター６０と三つの発光感応ユニット７０が設けられ、各カソードエミッター６０は、カソード載置シート５０をベースシートとし、並びに固定格子４０によりカソードエミッター６０の電子放出源を区画並びに引き起し、カソードエミッター６０が発光感応ユニット７０に向けて電界放出電子６１を放出した後、発光感応ユニットが対応する発光動作を行ない、色系の調整により、必要なカラー輝点を得て、こうして必要なカラー画像を組成する。
【０００４】
図２は周知の技術中で使用される支持柱であり、図２より周知の技術で使用されているのは、複数の溝２１を具えた支持柱２０であることが分かる。
【０００５】
周知の技術で使用されている支持柱はここに提示されている支持柱２０に限定されるわけではなく、溝２１の部分も矩形に限定されないが、実際の運用上、現在の電界放出ディスプレイの支持柱は真空部品の特性を考慮しなければならず、高気導率或いは大気圧力に抵抗する強度等を維持できるものとされ、このためディスプレイの画面品質に影響を与えない範囲で、大きな幅高さ比の支持柱を獲得しなければならない。このため使用する支持柱は高解析度の要求を満足させることができない。
【０００６】
このほか、周知の技術で使用される支持柱は挟持部分がマシンアーム或いはクランプに挟持される時に、機械応力により毀損しやすい。
アライメント時に、周知の技術の機械式の挟持装置を使用することと支持柱面積が過大であるため、精細な電界放出ディスプレイの要求を満足させることができない。
【０００７】
【発明が解決しようとする課題】
周知の技術の欠点を解決するため、本発明は一種の電界放出ディスプレイの支持柱とその設置方法を提供し、周知の技術に発生した研究開発の障害を排除する。本発明によると、十字形の支持柱或いは長条形の支持柱に、真空方式で吸着する位置決め部材による支持柱支持を組み合わせ、モニタレンズのリアルタイム監視制御の下で、支持柱の電界放出表示ユニット１への設置の作業を完成する。
【０００８】
本発明の十字形或いは長条形の支持柱は高さが僅かに１ｍｍとされ、延伸されたロングアーム部分の長さは０．８μｍ程度とされる。精度上、電界放出ディスプレイが高解析度要求を満足できるようにするため、支持柱に使用される材料はガラス、セラミック或いは金属とされ、これにより硬度上も電界放出ディスプレイを支持する要求も満足させられる。このほか、位置決め構造部分に使用されるのは、位置決め溝を具えた位置決め部材とされ、これにより、支持柱を設置する作業を行う時、該位置決め溝の設置により支持柱の位置決めユニットが該位置決め溝中に嵌入し、位置決め部材に設置された吸着口により支持柱が吸着され並びに必要な設置位置に移動させられる。
【０００９】
このほか、モニタレンズ全工程モニタリング作業の進行が組み合わされ、支持柱が正確に電界放出ディスプレイのユニット中に設置される。
【００１０】
【課題を解決するための手段】
請求項１の発明は、電界放出ディスプレイの支持柱の設置構造において、支持ユニットとする長条形構造と、前記支持ユニットから外側に向けて延伸する位置決めユニットとを有する支持柱と、
前記支持柱を吸着すると共に、前記位置決めユニットを位置決めする位置決め溝が設置された位置決め部材と、を具えたことを特徴とする。
請求項２の発明は、請求項１記載の電界放出ディスプレイの支持柱の設置構造において、電界放出ディスプレイが複数の電界放出表示ユニットで組成されたディスプレイとされたことを特徴とする。
請求項３の発明は、請求項１記載の電界放出ディスプレイの支持柱の設置構造において、支持柱がガラス、セラミック或いは金属で形成されたことを特徴とする。
請求項４の発明は、請求項１記載の電界放出ディスプレイの支持柱の設置構造において、支持柱がＴ形、十字形、或いは少なくとも一つの連接部を具えた構造とされることを特徴とする。
請求項５の発明は、請求項１記載の電界放出ディスプレイの支持柱の設置構造において、前記位置決め部材にあって前記位置決め溝と同一側面に複数の吸着口が設けられたことを特徴とする。
請求項６の発明は、請求項５記載の電界放出ディスプレイの支持柱の設置構造において、前記位置決め部材の複数の吸着口が前記支持柱の前記支持ユニットの側面を真空吸着することを特徴とする。
請求項７の発明は、請求項１記載の電界放出ディスプレイの支持柱の設置構造において、前記位置決め部材による前記支持柱の電界放出ディスプレイ中への設置のリアルタイムモニタリングと位置決めのためのモニタレンズを具えたことを特徴とする。
請求項８の発明は、電界放出ディスプレイの支持柱の設置方法において、
位置決め部材に設置された吸着口を真空処理し並びに前記位置決め部材を移動させる位置決め部材起動ステップと、
前記位置決め部材起動ステップ時にモニタレンズを起動して作業の進行の過程をモニタリングするモニタレンズ起動ステップと、
前記位置決め部材を支持柱まで移動させ、並びに前記位置決め部材の位置決め溝により初期アライメントを行ない、更に前記位置決め部材に設置された複数の吸着口により前記支持柱を吸着する支持柱吸着ステップと、
前記位置決め部材により吸着した前記支持柱を電界放出表示ユニット中に移動させてモニタレンズのモニタリングを組み合わせて前記支持柱を電界放出表示ユニット内に設置する電界放出表示ユニットへの支持柱設置ステップと、
を具えたことを特徴とする。
請求項９の発明は、請求項８記載の電界放出ディスプレイの支持柱の設置方法において、前記支持柱吸着ステップで採用する支持柱を十字形のガラス、セラミック或いは金属材料で組成したことを特徴とする。
請求項１０の発明は、請求項８記載の電界放出ディスプレイの支持柱の設置方法において、複数の電界放出表示ユニットにより電界放出ディスプレイが組成されたことを特徴とする。
請求項１１の発明は、請求項８記載の電界放出ディスプレイの支持柱の設置方法において、前記支持柱吸着ステップで採用される支持柱がＴ形、十字形、或いは少なくとも一つの連接部を具えた構造とされることを特徴とする。
請求項１２の発明は、請求項８記載の電界放出ディスプレイの支持柱の設置方法において、前記電界放出表示ユニットへの支持柱設置ステップにおいて使用される前記位置決め部材が、前記支持柱の前記位置決めユニットの嵌入に供される前記位置決め溝を具えたことを特徴とする。
請求項１３の発明は、請求項８記載の電界放出ディスプレイの支持柱の設置方法において、前記位置決め溝と同一側に前記複数の吸着口が設けられ、この複数の吸着口が真空吸着の方式で支持柱の支持ユニットの側面を吸着することを特徴とする。
請求項１４の発明は、請求項８記載の電界放出ディスプレイの支持柱の設置方法において、前記電界放出表示ユニットへの支持柱設置ステップにおいてモニタレンズが前記位置決め部材による支持柱の電界放出表示ユニット中への設置をリアルタイムでモニタリングし位置決めするのに供されることを特徴とする。
【００１１】
【発明の実施の形態】
図３は本発明の実施例の支持柱の斜視図である。それは十字形の支持柱２０とされ、この支持柱２０は長条形構造の支持ユニット２２の中間位置に外側に向けて二つの位置決めユニット２１が設置され、この支持柱２０の高さは約０．６〜１ｍｍとされ、延伸された二つの位置決めユニット２１の長さは約０．６〜２ｍｍとされ、厚さは約５０〜１００μｍとされ、これにより精度上、電界放出ディスプレイの高解析度の要求を満足させられ、その使用する材料は、ガラス、セラミック或いは金属とされ、硬度上も電界放出ディスプレイを支持する要求を満足させられる。
【００１２】
図４は本発明の実施例の設置構造を示す斜視図である。そのうち、設置機構部分に使用されるのは位置決め溝２５を具えた位置決め部材２３とされ、これにより、支持柱２０の放置作業を行う時は、位置決め溝２５の設置により支持柱２０の位置決めユニット２１が位置決め溝２５内に嵌入する。このほか、位置決め部材２３に複数の吸着口２４が設けられ、且つ複数の吸着口２４が位置決め溝２５と同一側面に設置され、これにより、位置決め部材２３が支持柱２０を吸着する時、位置決め部材２３の位置決め溝２５と同一側面に設けられた複数の吸着口２４により支持柱２０が吸着され、並びに電界放出ディスプレイ中の各表示ユニット内の必要な設置位置に移動させられる。
【００１３】
このほか、本発明はさらに電荷結合素子で組成されたモニタレンズ２を具え、このモニタレンズ２により、位置決め部材２３が移動し支持柱２０を取り付ける時にリアルタイムで作業の進行がモニタリングされ、位置決め部材２３が支持柱２０を取り付ける時に、正確なアライメントが行われ、更にはプレアライメントの機能が獲得され、これにより作業の進行が更に正確及び快速となる。
【００１４】
図５は本発明の実施例の動作ステップ表示図である。位置決め部材が支持柱の設置を行う時、開始（ステップ５１）の後、位置決め部材を起動し（ステップ５２）、並びに位置決め部材に設置された吸着口を真空処理し、並びに位置決め部材を移動させ、その後、モニタレンズを起動し（ステップ５３）、位置決め部材の支持柱取り付け作業を監視し、位置決め部材が支持柱を吸着（ステップ５４）する時、支持柱を位置決め溝内に嵌入させ、並びに位置決め溝と同一側面に設置された複数の吸着口により支持柱を吸着させ、位置決め部材に支持柱を移動させて並びにそれを電界放出表示ユニット中に設置（ステップ５５）させる時、モニタレンズを組み合わせて正確な位置決めの全工程モニタリングを行ない、こうして支持柱設置の作業を完成（ステップ５６）し、且つ初期アライメント溝の設計により、設置時に位置決め部材に回転アライメントの動作を行わせる必要がない。
【００１５】
以上は本発明の電界放出ディスプレイの支持柱とその設置方法の説明である。
実際の運用上、本発明の支持柱は長条形の構造とされるか、或いは長条形の構造に別に一つの凸アームが設けられてＴ形とされた構造とされ得て、位置決め部材による位置決めに供される。このほか、位置決め部材が支持柱を支持する時はそれに設置された複数の吸着口が利用され、且つ複数の吸着口が真空吸着の方式で支持柱を吸着する。このため、周知の技術における機械応力による支持柱の損壊が発生しない。電界放出ディスプレイには多くの電界放出表示ユニットが設けられ、このため支持柱の設置の成功率を高めるため、本発明ではモニタレンズにプレアライメントの処理を行うものとされ得て、並びに全工程モニタリングを行ない、支持柱が有効に必要な位置に設置されるようにする。
【００１６】
【発明の効果】
総合すると、以上で本発明が目的と機能上、実施上の進歩性と産業上の利用価値を有することが示され、本発明はまた未公開であり、ゆえに特許の要件を具備している。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】  周知の技術中の電界放出表示ユニットの構造表示図である。
【図２】  周知の技術中に使用される支持柱表示図である。
【図３】  本発明の実施例の支持柱の斜視図である。
【図４】  本発明の実施例の設置構造を示す斜視図である。
【図５】  本発明の実施例の動作ステップ表示図である。
【符号の説明】
１  電界放出表示ユニット
２  モニタレンズ
１０  下載置基板
２０  支持柱
２１  位置決めユニット
２２  支持ユニット
２３  位置決め部材
２４  吸着口
２５  位置決め溝
３０  上基板
４０  第３電極
５０  カソード載置シート
６０  カソードエミッター
６１  電界放出電子
７０  発光感応ユニット
【図１】
0004435506.tif 000002
【図２】
0004435506.tif 000003
【図３】
0004435506.tif 000004
【図４】
0004435506.tif 000005
【図５】
0004435506.tif 000006